(57)【要約】  本発明は、物品の閉鎖状態又は開放状態を監視するための電子回路の形態の監視装置に関する。この監視装置は、ファスナ閉鎖システムを備え、当該ファスナ閉鎖システムは２つのストリップを含み、当該ストリップの各々に、「歯」と称される要素（１１，...，１４，２０，...，２５）の列が取り付けられ、当該要素は導電性材料からつくられている。スライダ（３）がストリップに沿ってスライドするように取り付けられおり、スライダ（３）は、一方向においては一方の列の歯を他方の列の歯と噛み合わせるように、そして、他方向においては歯を分離させるように構成されている。検出器及びシグナリング装置（４）が、第一に、歯の少なくとも１つ（第１の端子（２１）と称する）に接続され、第二に、他方の歯の少なくとも１つ（第２の端子（２４）と称する）に接続されている。検出器及びシグナリング装置は、第１端子と第２端子（２１，２４）間の電気的導通性の状態を検出するように、そして、検出された導通状態の関数としての信号を発するように構成されている。第１端子（２１）と第２端子（２４）とは、少なくとも１つの歯（２２，２３）により互いに離間され、少なくとも１つの歯は、２列の歯が分離された状態にあるとき、端子に電気的に接続されていない。
2018511901.tif 000002
【特許請求の範囲】
【請求項１】
物品、例えば衣類又は手荷物の閉鎖状態又は開放状態を監視するための電子回路の形態の監視装置であって、
ファスナ閉鎖システム（Ｉ５）を備え、
当該ファスナ閉鎖システム（Ｉ５）が、２つのストリップ（１１０，１２０）を含み、当該ストリップの各々に、「歯」と称される要素（１１，...，１４，２０，...，２５）の列が取り付けられ、当該要素が導電性材料からつくられており、
前記ファスナ閉鎖システム（Ｉ５）がさらに、「スライダ」と称される要素（３）を含み、当該スライダ（３）が、前記ストリップに沿ってスライドするように取り付けられ、且つ、一方向においては一方の列の歯を他方の列の歯と噛み合わせ、また、他方向においては前記歯を分離させるように構成されており、
前記監視装置がさらに、
検出器及びシグナリング装置（４）を備え、当該装置（４）が、第一に、前記歯の少なくとも１つ（第１の端子（２１）と称する）に接続され、第二に、その他の歯の少なくとも１つ（第２の端子（２４）と称する）に接続されており、
前記検出器及びシグナリング装置（４）が、前記第１端子と前記第２端子（２１，２４）間の電気的導通性の状態を検出し、且つ、前記検出された導通状態の関数としての信号を発するように構成されており、
前記歯が噛み合っている状態で、前記第１端子（２１）と前記第２端子（２４）とが、前記歯の列に平行な方向において前記ファスナ閉鎖システム（Ｉ５）の少なくとも１つの歯（２２，２３）により互いに離間され、前記２列の歯が分離された状態にあるときに、前記少なくとも１つの歯（２２，２３）が前記端子（２１，２４）に電気的に接続されていないことを特徴とする、監視装置。
【請求項２】
前記検出器及びシグナリング装置（４）が前記第１端子（２１）に、導電性のフィラメント状要素（４２１）、例えば、電線又は導電性繊維線により接続され、且つ、前記第２端子（２４）に、別の導電性フィラメント状要素（４２４）により接続されていることを特徴とする、請求項１に記載の装置。
【請求項３】
前記第１又は第２の端子（２１，２４）にそれぞれ接続された前記第１又は第２の導電性フィラメント状要素（４２１，４２４）が、前記ファスナ閉鎖システムの一部を形成している少なくとも１つのその他の隣接する歯（２０，２５）にも接続されており、当該その他の隣接する歯（２０，２５）と前記第１又は第２端子（２１，２４）とが、同一歯列のそれぞれの部分を形成していることを特徴とする、請求項２に記載の装置。
【請求項４】
前記第１又は第２の導電性フィラメント状要素（４２１，４２２）が、それぞれ、前記第１又は第２の端子に、及び、好ましくは前記少なくとも１つのその他の歯（２０，２５）に、前記導電性フィラメント状要素（４２１，４２４）の端部をそれぞれ前記第１又は第２の端子の周囲に巻き付けることにより接続されていることを特徴とする、請求項３に記載の装置。
【請求項５】
前記第１及び第２の端子（２１，２４）が同一歯列の一部を形成していることを特徴とする、請求項１〜４のいずれかに記載の装置。
【請求項６】
前記検出器及びシグナリング装置（４）が、シグナリングモジュール（４１）（例えば、音及び／若しくは振動、並びに／又は光タイプの）と、検出器モジュール（４０）とを含み、当該検出器モジュール（４０）が、前記第１端子と第２端子（２１，２４）間の電気的導通性の状態を検出し、且つ、前記シグナリングモジュール（４１）を、前記導通性の状態の関数として活性化するためにあることを特徴とする、請求項１〜５のいずれかに記載の装置。
【請求項７】
前記監視装置が、前記検出器及びシグナリング装置（４）が防水性であるように構成されたシーリング手段を含むことを特徴とする、請求項１〜６のいずれかに記載の装置。
【請求項８】
前記装置が、電源閉システム（９）を備え、当該電源閉システム（９）が、互いに電気的に接続及び切断可能な第１及び第２の導電性要素（６，７）を含み、少なくとも前記第１要素（６）が中空体（６０）を含み、
前記装置が、さらに、前記中空体（６０）内に収容された、好ましくはボタン電池である電力供給源（５）を備え、当該電力供給源（５）が正極（５１）及び負極（５２）を有し、当該極の一方が前記第１要素（６）の前記中空体（６０）に電気的に接続され、且つ、前記極の他方が導電性要素（４５６）に接続されており、当該導電性要素（４５６）が、前記中空体（６０）から電気的に絶縁させる手段を有し、且つ前記中空体（６０）内を通過しており、且つ、
前記検出器及びシグナリング装置（４）が検出器モジュール（４０）を含み、当該検出器モジュール（４０）が、前記電源閉システム（９）が閉状態にあるときに前記電源（５）により電力供給されるように、且つ、前記ファスナ閉鎖システム（Ｉ５）の開放状態又は閉鎖状態を検出するように構成されており、前記検出器及びシグナリング装置（４）が、さらに、前記ファスナ閉鎖システム（Ｉ５）の、前記検出器モジュール（４０）により検出された開放状態又は閉鎖状態の関数としての信号を発するように構成されたシグナリングモジュール（４１）を含むことを特徴とする、請求項１〜７のいずれかに記載の装置。
【請求項９】
前記検出器モジュール（４０）が、前記ファスナ閉鎖システム（Ｉ５）の前記第２端子（２４）に接続された入力端子と、前記シグナリングモジュール（４１）の入力に接続された出力端子とを有する論理ＮＯＴゲートを含むことを特徴とする、請求項６と組み合わされた請求項１〜８のいずれかに記載の装置。
【請求項１０】
前記検出器及びシグナリング装置（４）が、プロセッサ及び演算ユニット（４００）、例えば、マイクロプロセッサ又はマイクロコントローラを含み、前記ユニットが、前記検出器モジュール（４０）を形成しているコンピュータ命令のセットを含み、且つ、
前記プロセッサ及び演算ユニット（４００）が、前記ファスナ閉鎖システム（Ｉ５）の前記第２端子（２４）が接続されている検出器入力（ＤＩ）を含み、且つ、
前記検出器モジュール（４０）が、前記検出器入力（ＤＩ）に印加されている閾値よりも大きい電圧を検出するように構成されていることを特徴とする、請求項１に記載の装置。
【請求項１１】
前記検出器及びシグナリング装置（４）が、前記プロセッサ及び演算ユニット（４００）の出力に接続されたシグナリングモジュール（４１）を含むことを特徴とする、請求項１０に記載の装置。
【請求項１２】
前記検出器及びシグナリング装置（４）が、前記閉鎖システム（Ｉ５）の閉鎖状態又は開放状態を示す情報を受信機モジュール（８０）に送信するように構成された無線通信モジュール（４４）を含むことを特徴とする、請求項１０及び１１のいずれか一項に記載の装置。
【請求項１３】
閉鎖システムが取り付けられた開閉可能な部分を呈する物品であって、好ましくは、衣類、例えば、前面中央で開閉可能な一対のズボン、又は、開閉可能なポケットを呈するジャケットである前記物品において、
請求項１〜１２のいずれかに記載した監視装置が前記物品に具備され、前記物品の前記閉鎖システムが前記監視装置の前記ファスナ閉鎖システムであることを特徴とする、物品。
【請求項１４】
前記物品が一対のズボンであり、前記ファスナ閉鎖システムが前チャックを形成していることを特徴とする、請求項１３に記載の物品。
【請求項１５】
前記監視装置が請求項８に記載のものであり、電源閉システムが、ズボンのウエストバンドの高さに配置された閉鎖ボタンを形成していることを特徴とする、請求項１４に記載の物品。
【請求項１６】
請求項１〜１２のいずれか一項に記載の監視装置を備えていることを特徴とする、閉鎖システムが取り付けられた開閉可能な部分を呈する手荷物、例えば、リュックサックであって、前記手荷物の前記閉鎖システムが前記監視装置の前記ファスナ閉鎖システムである、手荷物。
【請求項１７】
第１及び第２の導電性フィラメント状要素（４２１，４２４）と、検出器及びシグナリング装置（４）とを備えた、ファスナ閉鎖システムのためのキットであって、前記検出器及びシグナリング装置（４）が、電気的導通性の状態を検出及び通知するように構成され、前記導電性フィラメント状要素（４２１，４２４）が、ファスナ閉鎖部の導電性材料からつくられた歯と、電気的導通性の状態を検出及び通知するための前記検出器及びシグナリング装置（４）とに接続されて、請求項１〜１２のいずれか一項に記載の監視装置を形成するキット。
【発明の詳細な説明】
【技術分野】
【０００１】
本発明は、物品、例えば、バッグ、手荷物、一対のズボン、一対のショーツ、スカート、又はその他の類似の衣類のためのファスナ閉鎖システムの閉鎖状態又は開放状態を監視するための監視装置に関する。
【背景技術】
【０００２】
バッグや手荷物などの運搬用品は、ファスナ閉鎖式の閉鎖システムを含む。バッグが開いたままになっている、又は、意図的でなく開かれていると、バッグの中身を失う危険がある。同様に、バッグが開いているとバッグの中身が盗まれて、持ち主が気づかない危険もある。
【０００３】
また、ズボンは通常、前チャックを含み、これは、ファスナ閉鎖式の閉鎖システムにより同様に形成され得る。前チャックが開いた、又は部分的に開いたままの状況も生じ、ズボンの着用者がすぐに気づかないと第三者を困惑させるリスクがある。
【０００４】
従来技術、具体的には特許文献１は、ファスナ閉鎖システムの状態を監視可能な装置を開示している。特許文献１の実施形態においては、監視装置は、２つのコネクタを有する検出器及びシグナリング（通知）装置を備え、コネクタの一方がファスナ閉鎖部の一方の歯列に接続され、他方が前記閉鎖部の他方の歯列に接続されている。コネクタが接続されている歯は、コネクタが同一高さになるように互いに向い合って連結されており、そして、コネクタを有するファスナ閉鎖部の高さが閉鎖状態にあるときに、前記コネクタが互いに接触され、これにより、電気回路（電源からの電流が流れている）を閉じるように連結されている。この電流は、検出器及びシグナリング装置により検出され、この装置は、ファスナ閉鎖部の開放状態又は閉鎖状態をこの電流から推測でき、且つ、その状態を通知できる。
【０００５】
しかし、特許文献１に開示されている先行技術の解決法では、先に述べたように、コネクタがファスナ閉鎖部に沿って同じ高さに配置されており、従って、ファスナ閉鎖部が閉鎖されていないときであっても、コネクタが互いに接触する危険性を無視できない。このとき、検出器及びシグナリング装置はコネクタ間の接触を検出するため、ファスナ閉鎖部の開放状態を通知しない。
【０００６】
また、コネクタの一方をファスナ閉鎖部の一方の側に接続し、そして、他方のコネクタをファスナ閉鎖部の反対側に接続することは、ズボンの全周に接続ワイヤを通すことを必要とし、複雑であり、装置が損傷する危険性を高める。
【先行技術文献】
【特許文献】
【０００７】
【特許文献１】欧州特許第０  ３０３  ４８１号明細書
【発明の概要】
【発明が解決しようとする課題】
【０００８】
本発明の目的は、ファスナ閉鎖部を有する物品の閉鎖状態又は開放状態を監視するための装置であって、上述の問題を完全に又は部分的に解決できる新規の装置を提供することである。
【課題を解決するための手段】
【０００９】
この目的のために、本発明は、物品、例えば衣類又は手荷物の閉鎖状態又は開放状態を監視するための、電子回路の形態の監視装置を提供する。この装置はファスナ閉鎖システムを備える。
当該ファスナ閉鎖システムは、２つのストリップを含み、当該ストリップの各々に、「歯」（“teeth”）と称される、導電性材料からつくられた要素の列が取り付けられている。
前記ファスナ閉鎖システムは、さらに、「スライダ」（“slider”）と称される要素を含み、当該スライダは、前記ストリップに沿ってスライドするように取り付けられている。当該スライダは、一方向においては一方の列の歯を他方の列の歯と噛み合わせ、また、他方向においては前記歯を分離させるように構成されている。
前記監視装置は、さらに、検出器及びシグナリング装置を備え、当該装置は、第１には、前記歯の少なくとも１つ（「第１の端子」（“first terminal”）と称する）に接続され、第２には、他方の歯の少なくとも１つ（「第２の端子」（“second terminal”）と称する）に接続されている。
また、前記検出器及びシグナリング装置は、前記第１端子と前記第２端子との間の電気的導通性の状態を検出し、且つ、前記検出された導通状態の関数としての信号を発するように構成されている。
前記監視装置は、前記歯が噛み合っている状態で、前記第１端子と前記第２端子とが、前記歯の列に平行な方向において前記ファスナ閉鎖システムの少なくとも１つの歯により互いに離間され、前記２つの列の歯が分離された状態にあるときに、前記少なくとも１つの歯が前記端子と電気的に接続されていないことを特徴とする。
【００１０】
前記ファスナ閉鎖システムの前記第１端子及び第２端子を少なくとも１つの歯により離間させることにより、前記第１端子と第２端子との不適切な接触の危険性が制限され、これにより、前記物品の閉鎖状態又は開放状態を監視するための前記装置の確実性が高められ得る。
【００１１】
本発明の好ましい特徴によれば、前記検出器及びシグナリング装置は前記第１端子に、導電性のフィラメント状要素、例えば電線又は導電性繊維線により接続され、且つ、前記第２端子に、別の導電性フィラメント状要素により接続されている。
【００１２】
本発明の好ましい特徴によれば、前記第１又は第２の端子にそれぞれ接続された前記第１又は第２の導電性フィラメント状要素は、前記ファスナ閉鎖システムの一部を形成している少なくとも１つのその他の隣接する歯にも接続されており、当該その他の隣接する歯と前記第１又は第２端子とが、同一歯列のそれぞれの部分を形成している。
【００１３】
本発明の好ましい特徴によれば、前記第１又は第２の導電性フィラメント状要素は、それぞれ、前記第１又は第２の端子に及び、好ましくは、前記少なくとも１つのその他の歯に、前記導電性フィラメント状要素の端部をそれぞれ前記第１又は第２の端子の周囲に巻き付けることにより接続されている。
【００１４】
本発明の好ましい特徴によれば、前記第１及び第２の端子は、同一歯列の一部を形成している。
【００１５】
本発明の変形例において、前記第１端子が前記２つの歯列の一方の一部を形成し、前記第２端子が他方の歯列の一部を形成している。
【００１６】
特定の態様において、前記監視装置は、前記検出器及びシグナリング装置（「第１の」シグナリング装置と称する）と共に、第２の検出器及びシグナリング装置をさらに備え、この第２検出器及びシグナリング装置は、第一に第３の歯に接続され、第二に第４の歯に接続されている。この第２検出器及びシグナリング装置は、前記第３歯と第４歯との間の電気的導通性の状態を検出するように、そして、当該検出された導通性の状態の関数としての信号を発するように構成されている。
【００１７】
各ストリップは、繊維片、例えば、織物のストリップにより形成されている。
【００１８】
特定の態様において、前記検出器及びシグナリング装置は、シグナリングモジュール（例えば、音及び／若しくは振動、並びに／又は光タイプの）と、検出器モジュールとを含み、当該検出器モジュールは、前記第１端子と第２端子との間の電気的導通性の状態を検出するように構成されており、且つ、前記シグナリングモジュールを、前記導通性の状態の関数として活性化するためにある。
【００１９】
有利には、前記監視装置は、前記検出器及びシグナリング装置が防水性であるように構成されたシーリング手段を含む。
【００２０】
前記又は各検出器及びシグナリング装置は、前記シグナリングを制御するタイマモジュールを含む。
【００２１】
本発明の好ましい特徴によれば、前記又は各検出器及びシグナリング装置は、検出された導通性の状態の関数である信号を、検出器及びシグナリング装置とは異なる機器、例えば、携帯電話に送信するように構成された無線通信手段を含む。
【００２２】
本発明の好ましい特徴によれば、前記装置は、
電源閉システムを備え、当該電源閉システムは、互いに電気的に接続及び切断可能な第１及び第２の導電性要素を含み、少なくとも前記第１要素が中空体を含む。
前記装置はさらに、前記中空体内に収容された、好ましくはボタン電池である電力供給源を備え、当該電力供給源は正極及び負極を有し、当該極の一方が前記第１要素の前記中空体に電気的に接続され、且つ、前記極の他方が導電性要素に接続されている。当該導電性要素は、前記中空体から電気的に絶縁させる手段を有し、且つ、前記中空体内を通過している。
前記装置はさらに、検出器及びシグナリング装置を備え、当該検出器及びシグナリング装置は検出器モジュールを含み、当該検出器モジュールは、前記電源閉システムが閉状態にあるときに前記電源により電力供給されるように、且つ、前記ファスナ閉鎖システムの開放状態又は閉鎖状態を検出するように構成されている。前記検出器及びシグナリング装置は、さらに、前記ファスナ閉鎖システムの、前記検出器モジュールにより検出された開放状態又は閉鎖状態の関数としての信号を発するように構成されたシグナリングモジュールを含む。
【００２３】
好ましくは、前記ファスナ閉鎖システムの前記第１端子は、前記回路に前記電源の前記正極を介して電気的に接続されている。また、前記ファスナ閉鎖システムの前記第２端子は前記検出器モジュールの入力に接続され、前記シグナリングモジュールは前記検出器モジュールの出力に接続されている。
【００２４】
本発明の好ましい特徴によれば、前記電源の前記正極が前記第１要素の前記中空体に電気的に接続され、前記電源の前記負極が前記導電性要素に接続されている。前記導電性要素は前記第１要素の前記中空体内を通過している。
【００２５】
本発明の好ましい特徴によれば、前記検出器モジュールが電源入力を有し、当該電源入力が前記回路に、前記電源の前記正極を介して前記電源閉システムの前記第２要素により接続されている。
【００２６】
本発明の好ましい特徴によれば、前記ファスナ閉鎖システムの前記第１端子が前記電源閉システムの前記第２要素に電気的に接続されている。
【００２７】
本発明の好ましい特徴によれば、前記装置は、タイマモジュールを含む。このタイマモジュールは、検出信号が検出器モジュールの出力から発信される瞬間とシグナリングモジュールの起動との間に時間遅延を導入するように構成されている。
【００２８】
特定の実施形態において、前記検出器モジュールが論理ＮＯＴゲートを含み、論理ＮＯＴゲートは、前記ファスナ閉鎖システムの前記第２端子に接続された入力端子と、前記シグナリングモジュールの入力に接続された出力端子とを有する。
【００２９】
有利には、前記タイマモジュールが、前記論理ＮＯＴゲートと前記シグナリングモジュールとの間に挿入される。
【００３０】
特定の実施形態において、前記検出器及びシグナリング装置は、プロセッサ及び演算ユニット、例えば、マイクロプロセッサ又はマイクロコントローラを含み、前記ユニットは、前記検出器モジュールを形成しているコンピュータ命令のセットを含み、且つ、
前記プロセッサ及び演算ユニットが、前記ファスナ閉鎖システムの前記第２端子が接続されている検出器入力を含み、前記検出器モジュールは、前記検出器入力に印加されている閾値よりも大きい電圧を検出するように構成されている。
【００３１】
特定の態様において、前記検出器及びシグナリング装置は、前記プロセッサ及び演算ユニットの出力に接続されたシグナリングモジュールを含む。
【００３２】
本発明の好ましい特徴によれば、前記検出器及びシグナリング装置は、前記閉鎖システムの閉鎖状態又は開放状態を示す情報を受信機モジュールに送信するように構成された無線通信モジュールを含む。
【００３３】
また、本発明は、閉鎖システムが取り付けられた開閉可能な部分を呈する物品を提供する。この物品は、好ましくは、衣類、例えば、前面中央で開閉可能な一対のズボン、又は、開閉可能なポケットを呈するジャケットである。この物品は、上述の監視装置が当該物品に具備され、前記物品の前記閉鎖システムが、前記監視装置の前記ファスナ閉鎖システムであることを特徴とする。
【００３４】
特定の実施形態において、前記物品は一対のズボンであり、前記ファスナ閉鎖システムが前チャックを形成している。
【００３５】
有利には、前記電源閉システムが、ズボンのウエストバンドの高さに配置された閉鎖ボタンを形成している。
【００３６】
また、本発明は、上述のような監視装置を備えていることを特徴とする、閉鎖システムが取り付けられた開閉可能な部分を呈する手荷物、例えば、リュックサックを提供する。前記手荷物の前記閉鎖システムは、前記監視装置の前記ファスナ閉鎖システムである。
【００３７】
また、本発明は、ファスナ閉鎖システムのためのキットを提供し、前記キットは、第１及び第２の導電性フィラメント状要素と、電気的導通性の状態を検出及び通知するように構成された検出器及びシグナリング装置とを備えている。前記導電性フィラメント状要素は、ファスナ閉鎖部の導電性材料製の歯と、電気的導通性の状態を検出及び通知する前記検出器及びシグナリング装置とに接続されて上述のような監視装置を形成する。
【００３８】
また、本発明は、物品の開閉可能部分のファスナ閉鎖システムのためのキットであって、上述のような監視装置の作製を可能にするキットを提供する。
このキットは、電源閉システムを備え、当該電源閉システムは、互いに電気的に接続及び切断可能な第１及び第２の導電性要素を含み、少なくとも前記第１要素が中空体を含む。
前記キットはさらに、前記中空体内に収容された電力供給源を備え、当該電力供給源は正極及び負極を有し、当該極の一方が前記第１要素の前記中空体に電気的に接続されるのに適しており、前記極の他方は導電性要素に接続されるのに適している。当該導電性要素は、前記中空体から電気的に絶縁させる手段を有し、且つ、前記中空体内を通過している。
前記キットはさらに、検出器及びシグナリング装置を備え、当該検出器及びシグナリング装置は、検出器モジュールを含み、当該検出器モジュールは、前記電源閉システムが閉状態にあるときに前記電源により電力供給されるように、且つ、前記物品の前記開閉可能部分を閉鎖させるために前記ファスナ閉鎖システムの開放状態又は閉鎖状態を検出するように構成されている。前記検出器及びシグナリング装置は、さらに、前記ファスナ閉鎖システムの、前記検出器モジュールにより検出された開放状態又は閉鎖状態の関数としての信号を発するように構成されたシグナリングモジュールを含む。
【００３９】
本発明は、添付図面を参照して与えられる実施形態の以下の説明を読むことにより、良好に理解されよう。
【図面の簡単な説明】
【００４０】
【図１】本発明の監視装置において用いられる閉鎖システムの一実施形態によるファスナ閉鎖部の概略図である。
【図２】本発明の閉鎖監視装置の第１の実施形態に対応する電子回路の概略図である。
【図３】本発明の監視装置の電子回路に電力供給するための、閉鎖ボタンの中空体内に収容されたボタン電池を形成しているバッテリの概略図である。
【図４】本発明の閉鎖監視装置の第２の実施形態に対応する電子回路の概略図である。
【発明を実施するための形態】
【００４１】
図面を参照する。上述したように、本発明は、ファスナ閉鎖システムＩ５の閉鎖状態又は開放状態を監視するための監視装置に関する。有利には、前記ファスナ閉鎖システムＩ５は、再閉鎖可能な開口１０１を呈する物品１００に取り付けられる。例として、前記物品は、以下に詳細に説明するように、バッグ又は一対のズボンであり得る。
【００４２】
監視装置は、電子回路の形態である。また、監視装置は、ファスナ閉鎖システムＩ５の閉鎖状態又は開放状態を検出及び通知するための検出器及びシグナリング（通知）装置４を備えている。
【００４３】
電力供給装置５，９が、ファスナ閉鎖システムＩ５の閉鎖状態又は開放状態を検出及び通知するための、装置４への電力供給を制御するように機能する。
【００４４】
上述したように、ファスナ閉鎖システムＩ５は、物品１００内に形成された開口１０１の少なくとも一部を閉じるように機能する。図１に示されているように、前記物品１００は、具体的には、開口の一端を画成している部分１１０及び、開口の対向する縁部を画成している部分１２０を含む。開口の閉鎖状態において、部分１１０及び部分１２０により画成された前記対向する縁部は、一方が他方に突き合わされている。
【００４５】
一般的に、ファスナ閉鎖システムＩ５は、相互に連結及び連結解除可能な導電性材料からつくられた２列の歯を有し、従って、一方の列の要素が他方の列の歯に連結された状態において、電気的導通性が歯に沿って確立される。これとは逆に、歯の非連結状態においては、歯の間に電気的導通性がなくなる。
【００４６】
図１に示されている例において、ファスナ閉鎖システムＩ５は２つのストリップを含み、各ストリップに、導電性材料からつくられた要素（「歯」（“teeth”）と称する）１１，１２，１３，１４，２０，２１，２２，２３，２４，２５から成る列が取り付けられている。前記ストリップは、再閉鎖可能な開口１０１を画成する部分１１０及び部分１２０に対応している。
【００４７】
要素３（「スライダ」（“slider”）と称する）が、ストリップに沿ってスライドするように取り付けられている。スライダ３は、一方向においては一方の列の歯を他方の列の歯と噛み合わせ、そして、他方向においてはこれらを分離させるように構成されている。歯のうちの１つが第１の端子２１を形成し、別の歯が第２の端子２４を形成している。これに関して、以下に詳細に説明する。
【００４８】
各ストリップ１１０及びストリップ１２０は、繊維片、例えば、織物のストリップにより形成されている。
【００４９】
歯のうちの１つが第１の端子２１を形成し、別の歯が第２の端子２４を形成している。これに関して、以下に詳細に説明する。検出器及びシグナリング装置４が、前記第１端子２１に、導電性のフィラメント状要素４２１（例えば電線又は導電性繊維線）により接続され、そして、前記第２端子２４に、別の導電性フィラメント状要素４２４（導電性フィラメント状要素４２１と同じタイプのものであり得る）により接続されている。
【００５０】
いずれの実施形態においても、検出器及びシグナリング装置４は、第１端子２１と第２端子２４とが電気的に導通していないことを検出し、そして、導通していないことの検出の関数としての信号を発信するように構成される。
【００５１】
前記歯列が相互に連結された状態にあるとき、第１端子２１と第２端子２４とは、歯の列に平行な方向において、少なくとも１つの歯２２，２３により互いに離間されている。列が連結解除状態にあるとき、前記少なくとも１つの歯２２，２３は、前記第１端子２１及び第２端子２４のいずれとも電気的接続を有さない。好ましくは、こうして、前記第１端子２１と第２端子及び２４は、少なくとも２つ又は３つの歯により離間される。これは、第１端子２１と第２端子２４とが不適切に接触する危険性を抑止するためである。
【００５２】
好ましくは、第１端子２１又は第２端子２４にそれぞれが接続されている第１又は第２の導電性フィラメント状要素４２１，４２４は、少なくとも１つの隣接する歯２０，２５にも接続される。前記少なくとも１つの隣接する歯２０，２５と、前記第１端子２１又は第２端子２４とは、場合により、同一歯列の一部を形成する。
【００５３】
第１又は第２の導電性フィラメント状要素４２１，４２２は、それぞれ、前記第１又は第２の端子２１，２４に及び、好ましくは、前記少なくとも１つの追加の隣接する歯に、前記導電性フィラメント状要素４２１，４２４のそれぞれの端部を前記第１又は第２の端子に巻き付けることにより接続される。
【００５４】
好ましくは、第１端子２１と第２端子２４とが、同一歯列の部分を形成する。装置のこのような設計が、導電性フィラメント状要素４２１，４２４が開口１０１の一方の側のみに延在することを可能にし、それにより、開口１０１の他方の側に到達するために物品の全周に延在する必要をなくす。変形例において、第１端子２１が２つの歯列の一方の一部を形成し、第２の接続端子２４が他方の歯列の一部を形成することが提案され得る。
【００５５】
電力供給装置５，９は、閉システム９を含み、閉システム９は、互いに電気的に接続及び切断される第１の要素６と第２の要素７とを含む。閉システム９はスイッチを形成し、このスイッチは、前記要素の連結状態にて閉じられ（すなわち、前記要素が互いに電気的に接触しているとき）、そして、前記要素の連結解除状態では開かれている（すなわち、前記要素間に電気接触が存在しないとき）。閉システム９を「電源」（“power supply”）閉システムとも称する。なぜなら、閉システム９は、電源５と検出器及びシグナリング装置４との間に電気スイッチを形成するように機能するからである。これに関しては、以下に詳細に説明する。
【００５６】
図３に示されているように、第１要素６は中空体６０を含む。中空体６０は、組立及び分解可能な複数の部品からつくられている。有利には、中空体は２つの部品からつくられ、これらの部品は、ねじ締結により互いに組み付けられても、或いは、弾性変形（すなわちクリップ締結又はスナップ嵌め）により互いに組み付けられてもよい。
【００５７】
前記要素６は導電性材料からつくられている。図示されている例において、要素７も導電性である。
【００５８】
好ましくは、要素６と要素７とは、雄／雌型である。具体的には、図３に示されている例において、要素６は、中空ヘッド６０及びペグ６１を有するボタンであり、要素７は、導電性手段７２を有するアイレット（eyelet：はとめ）７１を含む。例として、前記アイレットは、物品の繊維ゾーンに設けられた、要素６を挿入するための開口部により形成される。前記導電性手段は導電性インクにより形成され得る。図３に示されている例において、導電性インク７２はアイレット７の内側輪郭部に付与され、この部分にボタンのペグ６１が、ボタン６とアイレット７とが連結状態にあるときに接触する。
【００５９】
こうして、要素６と要素７とが連結状態にあるとき、要素６は、その中空体６０及び／又はそのペグ６１を介して前記導電性手段７２に電気的に接触する。要素７は、回路のその他の部分に、導電性要素（前記導電性手段７２に電気的に導通している）により接続され得る。この導電性要素は、導電性インクのライン、又は、好適には絶縁された電線であり得る。
【００６０】
変形例において、前記要素７は、物品の対応する部分に取り付けられた、穿孔された導電性フィルム又はプレートにより形成され得る。変形例において、要素６は、プレススタッドの雄部分であってもよく、要素７は雌部分であり得る。図３に示されている例において、要素６を形成している閉鎖ボタンが物品の部分１１０に取り付けられ、要素７を形成しているアイレットが物品の部分１２０に設けられている。
【００６１】
好ましくは、第１の部分１１０と第２の部分１２０との間に設けられた開口１０１は、要素６を要素７に連結して閉鎖システムＩ５を閉じることにより再閉鎖され得る。この目的のために、物品の第１部分１１０が要素６を担持する場合、物品の第２部分１２０に前記第２要素７が設けられる。変形例においては、要素６が第２部分１２０に配置され、要素７が第１部分１１０に配置され得る。
【００６２】
特定の実施形態において、前記物品は一対のズボンである。このような状況下で、第１要素６は、物品のウエストバンドボタン（すなわち、ウエストバンドの高さに位置する一対のズボンの上部にあるボタン）である。従って、前記要素６は、一対のズボンのウエストバンドの前側の、ウエストバンドの高さに配置された閉鎖ボタンであり得る。この閉鎖ボタンは、通常、前チャックの上部に位置する。対応する要素７は、前チャックより上の高さの、ウエストバンドの前側に配置され、他方の脚の傍らにある。
【００６３】
ユーザは、ズボンの着用後、前チャックを閉じて、ウエストバンドボタンを、対応する相補的要素に留め付けることを求められる。前記前チャックが閉鎖システムＩ５により形成される場合、本発明の装置は、以下に説明するように、前記前チャックの非閉鎖を検出し、且つ、前チャックが開いていることを通知するように機能する。また、この装置を、前チャックの閉鎖を検出して前チャックが閉じていることを知らせるように適合させることも提案可能である。
【００６４】
電源５が、前記要素６の中空体６０内に収容されている。有利には、図３に示されているように、前記電源５は、ボタン電池タイプの電池である。
【００６５】
図３に示されている例において、前記電源５は正極５１を有し、正極５１は、例えば中空体６０に押し付けられることにより第１要素６の中空体６０に電気接続される。この目的のために、中空体６０は、正極５１を中空体に押し付けた状態に維持するように機能するばね６３を収容し得る。
【００６６】
また、電源５は、電線４５６に接続された負極５２も有し、電線４５６には絶縁シースが設けられ、電線４５６は、第１要素６の中空体６０内を、前記中空体６０に電気的接触せずに通過している。負極５２は、中空体６０から、例えば絶縁板６２により電気的に絶縁されている。
【００６７】
図３に示されている例において、電源５はボタン電池である。正極は、ボタン電池の面の一方とその側壁とにより形成され、一方、負極は電池の他方の面により形成され、電気絶縁ガスケットにより正極から分離されている。
【００６８】
図２は、監視装置の一実施形態を示す。この実施形態を構成する要素は、以下に図４を参照してより詳細に説明する実施形態と比較して安価である。
【００６９】
図２の実施形態においては、閉鎖システムＩ５の第１端子２１は、電源５の正極５１に、閉システム９により電気的に接続されている。詳細には、閉鎖システムＩ５の端子２１は、閉システム９の要素７に、導電性ワイヤ４２１（ライン７２に接続されている）により接続されている。上述したように、要素６は電源５の正極５１に電気接続されている。閉鎖システムＩ５の反対側の端子２４は、検出器モジュール４０の入力に、導電性ワイヤ４２４により接続されている。
【００７０】
閉システム９及び閉鎖システムＩ５は、検出器モジュールの入力に直列接続されたスイッチを形成している。また、図２に示されている例において、閉システム９は、検出器モジュール４０の電源Ｖｃｃのためのスイッチを構成している。
【００７１】
検出器モジュール４０は、閉鎖システムＩ５の第２端子２４に接続された入力端子と、タイマモジュール４２に接続された出力端子とを有する論理ＮＯＴゲートである。タイマモジュール４２からの出力は、シグナリングモジュール４１の入力に接続される。シグナリングモジュール４１は、電源５の負極に導電性フィラメント状要素４５６を介して接続された一方の端子を有する。シグナリングモジュール４１は、その入力に電力が供給されたときに、音、振動、又は光信号、若しくは電波信号を発するのに適した電気又は電子部材により形成され得る。従って、シグナリングモジュール４１は、発光ダイオード（ＬＥＤ）により形成され得る。
【００７２】
また、論理ＮＯＴゲートは、電源５の正極５１に接続された電源入力Ｖｃｃも有する。詳細には、電源入力Ｖｃｃは、要素７に、スイッチ９が閉じられたときにのみ検出器モジュール４０に電力供給されるように接続されている。
【００７３】
従って、スイッチ９及び閉鎖システムＩ５が閉じられると、電源５と検出器モジュール４０の入力端子との間に形成された電気回路に電力が供給される。
【００７４】
このとき、論理ＮＯＴゲートからの出力は０状態であり、シグナリングモジュール４１が電力供給されることを防止する。これとは逆に、閉鎖システムＩ５が開いているとき、電源５とモジュール４０の入力端子との間に形成された電気回路はもはや電力供給されておらず、モジュール４０からの出力端子は、シグナリングモジュール４１に電力供給されるように１状態に変化して、システムＩ５が閉じていないことを示す特有の信号を、好ましくは所与の時間遅延後に発信する。
【００７５】
有利には、検出器モジュール４０とシグナリングモジュール４１との間に挿入されたタイマモジュール４２は、検出信号が検出器モジュール４０の出力から発信される瞬間（ＮＯＴゲートの出力の１状態に対応）と、シグナリングモジュール４１の起動との間に時間遅延を設けるように構成されている。
【００７６】
この回路に、抵抗Ｒ０が、装置を適切に動作させるために挿入されている。
【００７７】
図２の例と比較して、図４に示されている例においても、電源５の正極が閉システム９の要素６に接続されていることが理解されよう。図４の例においては、検出器及びシグナリング装置４は、電子及び／又はコンピュータプロセッサ及び演算ユニット４００を含む。図４に示されている例において、このユニットはマイクロコントローラである。変形例において、ユニットは、関連するメモリを有するマイクロプロセッサであり得る。前記マイクロコントローラは、前記マイクロコントローラのメモリに記憶されているコンピュータ命令のセットを含み、これらは前記検出器モジュール４０を形成している。また、タイマモジュール４２も、ユニットにより実行可能な、記憶された命令のセットにより形成されている。
【００７８】
導電性フィラメント状要素７２が、要素７をプロセッサ及び演算ユニット４００の電源入力Ｖｃｃに接続している。端子２１が電源５の正極に接続されている。閉鎖システムＩ５の端子２４がデジタル検出器の入力ＤＩに接続され、デジタル検出器の入力ＤＩは前記入力を形成し、この入力に、閉鎖システムＩ５の端子２４が接続されている。前記検出器モジュール４０は、前記検出器入力に印加されている閾値よりも大きい電圧を検出するように構成されている。この目的のために、入力ＤＩ及び、閉鎖システムＩ５の端子２４が抵抗Ｒ１を介してアース接続されている。この接続は、スイッチＩ５が閉状態にあるときに、検出器モジュール４０が、電源５の、前記抵抗Ｒ１の端子を通過する電圧を検出するようになされている。
【００７９】
前記電圧の検出は、ユニット４００の電源入力Ｖｃｃと、閉鎖システムＩ５と、検出器入力ＤＩとの間の電気回路の閉状態に対応している。
【００８０】
図４に示されている例において、シグナリングモジュール４１は、その端子の一方により、プロセッサ及び演算ユニット４００の出力ＤＯに接続され、そして、別の端子により、装置の電気的アースに抵抗Ｒ２を介して接続されている。抵抗Ｒ２は、シグナリングモジュールが適切に動作することを保証するように適合されている。
【００８１】
前記出力ＤＯは、シグナリングモジュール４１を、デジタル入力ＤＩの状態の関数として活性化するか又は活性化しないように機能する。図４に示されているように、シグナリングモジュールはＬＥＤであり得、そのアノードが出力ＤＯに接続され、且つカソードが、抵抗Ｒ２を介してアース接続されている。
【００８２】
有利には、検出器及びシグナリング装置４は、無線通信モジュール４４を含む。通信モジュール４４は、閉鎖システムＩ５の検出された状態を外部の受信機モジュール８０に送信するように構成されている。例として、外部の受信機モジュール８０は、モバイル電子機器８（例えばスマートフォン又はタブレット）の一部を形成する。モバイル機器は、前記閉鎖システムＩ５の閉鎖状態又は開放状態を、例えば、視覚的、聴覚的、又は振動を用いて通知するように構成されたコンピュータアプリケーションを有する。図４に示されているように、通信モジュール４４は通信バスによりユニット４００に接続され、また、閉システム９が閉状態にあるときに、電源５により電力供給される。
【００８３】
電源５の正極を要素６の中空体に接続することにより、要素６と要素７とを、検出器モジュール４０用の電源スイッチを形成するように協働させることができる。これにより、閉鎖システムＩ５（例えば、一対のズボンの前チャックを形成）が開いていても、閉システム９（例えば、ズボンのウエストバンドボタンを形成）がまだ閉じられていない場合に電源５からのエネルギーの消費を回避できる。
【００８４】
いずれの実施形態においても、シグナリングモジュールは、音及び／若しくは振動、並びに／又は、光及び／若しくは電波タイプの信号を発することができる。
【００８５】
前記監視装置は、前記検出器及びシグナリング装置４が防水性であるように構成されたシーリング手段を含む。好ましくは、第１の閉システム９も防水性である。
【００８６】
検出器及び／若しくはタイマ、並びに／又は、通信モジュール及び／若しくはシグナリングモジュールは、電子部品の形態及び／又はコンピュータプログラムの形態で作成され得る。コンピュータプログラム若しくはコンピュータ命令、又は実行可能プログラムは、プログラム記憶装置（例えば、コンピュータ読み取り可能なデジタルデータ記憶媒体）に格納され得る。また、プログラム又は命令は、プログラム記憶周辺機器からも実行され得る。
【００８７】
監視装置は、衣類（例えば、前面中央で開口する一対のズボン、又は、開放可能なポケットを有し、開閉可能な部分を提供するジャケット）に組み込まれ得る。
【００８８】
また、監視装置を、開放可能で且つ再閉可能な部分を有する手荷物（例えば、リュックサック）に組み込むことも可能である。
【００８９】
１以上のストラップを有する物品、例えばリュックサックに関し、電気的に接続及び切断可能な第１要素６と第２要素７とを含む閉システム９を、物品（例えば、ストラップ）の、ユーザに背負われる側の一部に配置することも提案できる。この場合、要素６と要素７とは、一方を他方に押し付けること（物品がユーザにより運ばれているときの物品の重量による）により電気的に接触されるように、例えば押しボタンとして構成される。
【００９０】
すなわち、リュックサックのように、ユーザにより運ばれる物品に関しては、要素６及び要素７を含む閉システムは、物品がユーザにより運ばれている状態において自動的に閉じられて、要素６と要素７とが電気的に接続されるように構成され得る。前記システムは、閉システム９がユーザの背に重力により押し付けられることにより閉じられ得る。それ以外の状況では、要素６と要素７とは、これらが互いに電気的に切断される位置に付勢され得る。
【００９１】
また、監視装置を、上述のような２列の歯を呈する閉システムのためのキットの形態にすることも提案できる。前記キットは、第１及び第２の導電性フィラメント状要素４２１及び４２４を、電気的導通性の状態を検出及び通知するように構成された検出器及びシグナリング装置４と共に含む。前記導電性フィラメント状要素４２１及び４２２は、ファスナ閉鎖部の歯及び、検出器及びシグナリング装置４に接続されるためにあり、これにより、閉システム（このシステムにおいて、検出器及びシグナリング装置４が、開放状態を検出及び通知するように機能する）の前記第１端子及び第２端子を形成する。
【００９２】
本発明の少なくとも１つの実施形態を例示及び記載したが、その他の変形、改変、置換及び代替が当業者に明らかであり、本発明の実施形態が、本明細書に記載した主題の範囲を超えずに変更され得ることが理解されよう。
【００９３】
本出願は、上述の実施形態に関する全ての適応及び変形を網羅することを意図している。さらに、用語「含む」（”comprising”）はその他の要素又はステップを排除せず、用語「１つの」（“a”又は“an”）は、複数形を排除しない。また、上述の実施形態の１つに関して説明した特性又はステップは、その他の上述の実施形態のその他の特性又はステップと組み合わせて同等に良好に用いられ得る。
【符号の説明】
【００９４】
Ｉ５  ファスナ閉鎖システム
３  スライダ
４  検出器及びシグナリング装置
５  電力供給源
６  要素（ボタン）
７  要素
８  外部の受信機モジュール
９  閉システム
１１，１２，１３，１４  歯
２０，２１，２２，２３，２４，２５  歯
２１  第１の端子
２４  第２の端子
４０  検出器モジュール
４１  シグナリングモジュール
４２  タイマモジュール
４４  通信モジュール
５１  正極
５２  負極
６０  中空ヘッド
６１  ペグ
７１  アイレット
７２  導電性手段
８０  受信機モジュール
１００  物品
１０１  開口
１１０  ストリップ
１２０  ストリップ
４００  ユニット
４２１  導電性フィラメント状要素
４２４  導電性フィラメント状要素
４５６  電線
【図１】
2018511901.tif 000003
【図２】
2018511901.tif 000004
【図３】
2018511901.tif 000005
【図４】
2018511901.tif 000006
【国際調査報告】
2018511901.tif 000007
2018511901.tif 000008
2018511901.tif 000009
2018511901.tif 000010
2018511901.tif 000011
2018511901.tif 000012